【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
第１プロセッサと、
第２プロセッサと、
メモリと、
前記第１プロセッサからデータを受信し、前記メモリにデータを送信し、前記第２プロセッサにデータを送信するメモリコントローラと、
第１リクエストを受信し、前記第１リクエストを処理する第１プログラムを前記第１プロセッサのためにロードし、前記第１リクエストを処理する第２プログラムを前記第２プロセッサのためにロードし、前記メモリコントローラを前記第１プロセッサから受信したデータを前記メモリに送信し前記メモリに記憶された前記データを前記第２プロセッサに送信するよう設定し、
第２リクエストを受信し、前記第２リクエストを処理する第３プログラムを前記第１プロセッサのためにロードし、前記第２リクエストを処理する第４プログラムを前記第２プロセッサのためにロードし、前記メモリコントローラを前記第１プロセッサから受信したデータを前記メモリに送信せずに前記第２プロセッサに送信するよう設定する、制御手段と、を備えることを特徴とする情報処理装置。
【請求項２】
前記メモリコントローラは、前記メモリにダイレクトにアクセスするダイレクトメモリアクセス（ＤＭＡ）コントローラを含む、ことを特徴とする請求項１に記載の情報処理装置。
【請求項３】
前記第１プロセッサ、前記第２プロセッサ、前記メモリ、前記メモリコントローラ、及び、前記制御手段が接続されるバスを備える、ことを特徴とする請求項１又は２に記載の情報処理装置。
【請求項４】
前記制御手段は、前記メモリにバッファ領域を確保する、ことを特徴とする請求項１乃至３の何れか１項に記載の情報処理装置。
【請求項５】
前記第１プロセッサは、前記第１プログラム及び前記第２プログラムを時分割で実行し、
前記第２プロセッサは、前記第３プログラム及び前記第４プログラムを時分割で実行する、ことを特徴とする請求項１乃至４の何れか１項に記載の情報処理装置。
【請求項６】
前記制御手段は、前記第１プロセッサと前記第２プロセッサとの間のデータ通信がなければ、前記メモリコントローラをリセットする、ことを特徴とする請求項１乃至５の何れか１項に記載の情報処理装置。
【請求項７】
前記制御手段は、前記メモリコントローラを設定した後に、前記第１プロセッサ及び前記第２プロセッサのリセットを解除する、ことを特徴とする請求項１乃至６の何れか１項に記載の情報処理装置。
【請求項８】
前記制御手段は、受信したリクエストに対応する識別情報に基づいて、前記メモリコントローラを設定する、ことを特徴とする請求項１乃至７の何れか１項に記載の情報処理装置。
【請求項９】
原稿の画像をスキャンするスキャナをさらに備える、ことを特徴とする請求項１乃至８の何れか１項に記載の情報処理装置。
【請求項１０】
記録媒体に画像をプリントするプリンタをさらに備える、ことを特徴とする請求項１乃至９の何れか１項に記載の情報処理装置。
【請求項１１】
第３プロセッサと、
前記第２プロセッサからデータを受信し、前記メモリにデータを送信し、前記第３プロセッサにデータを送信する他のメモリコントローラと、をさらに備え、
前記制御手段は、
前記第１リクエストを処理する第５プログラムを前記第３プロセッサのためにロードし、前記メモリコントローラを前記第２プロセッサから受信したデータを前記メモリに送信し前記メモリに記憶された前記データを前記第３プロセッサに送信するよう設定し、
前記第２リクエストを処理する第６プログラムを前記第３プロセッサのためにロードし、前記メモリコントローラを前記第２プロセッサから受信したデータを前記メモリに送信せずに前記第３プロセッサに送信するよう設定する、ことを特徴とする請求項１乃至１０の何れか１項に記載の情報処理装置。
【請求項１２】
第１プロセッサと、
第２プロセッサと、
メモリと、
前記第１プロセッサからデータを受信し、前記メモリにデータを送信し、前記第２プロセッサにデータを送信するメモリコントローラと、を備える情報処理装置の通信制御方法であって、
制御手段が、第１リクエストを受信し、前記第１リクエストを処理する第１プログラムを前記第１プロセッサのためにロードし、前記第１リクエストを処理する第２プログラムを前記第２プロセッサのためにロードし、前記メモリコントローラを前記第１プロセッサから受信したデータを前記メモリに送信し前記メモリに記憶された前記データを前記第２プロセッサに送信するよう設定し、
前記制御手段が、第２リクエストを受信し、前記第２リクエストを処理する第３プログラムを前記第１プロセッサのためにロードし、前記第２リクエストを処理する第４プログラムを前記第２プロセッサのためにロードし、前記メモリコントローラを前記第１プロセッサから受信したデータを前記メモリに送信せずに前記第２プロセッサに送信するよう設定する、ことを特徴とする通信制御方法。
【請求項１３】
前記メモリコントローラは、前記メモリにダイレクトにアクセスするダイレクトメモリアクセス（ＤＭＡ）コントローラを含む、ことを特徴とする請求項１２に記載の通信制御方法。
【請求項１４】
前記情報処理装置は、前記第１プロセッサ、前記第２プロセッサ、前記メモリ、前記メモリコントローラ、及び、前記制御手段が接続されるバスを備える、ことを特徴とする請求項１２又は１３に記載の通信制御方法。
【請求項１５】
前記制御手段が、前記メモリにバッファ領域を確保する、ことを特徴とする請求項１２乃至１４の何れか１項に記載の通信制御方法。
【請求項１６】
前記第１プロセッサが、前記第１プログラム及び前記第２プログラムを時分割で実行し、
前記第２プロセッサが、前記第３プログラム及び前記第４プログラムを時分割で実行する、ことを特徴とする請求項１２乃至１５の何れか１項に記載の通信制御方法。
【請求項１７】
前記制御手段が、前記第１プロセッサと前記第２プロセッサとの間のデータ通信がなければ、前記メモリコントローラをリセットする、ことを特徴とする請求項１２乃至１６の何れか１項に記載の通信制御方法。
【請求項１８】
前記制御手段が、前記メモリコントローラを設定した後に、前記第１プロセッサ及び前記第２プロセッサのリセットを解除する、ことを特徴とする請求項１２乃至１７の何れか１項に記載の通信制御方法。
【請求項１９】
前記制御手段が、受信したリクエストに対応する識別情報に基づいて、前記メモリコントローラを設定する、ことを特徴とする請求項１２乃至１８の何れか１項に記載の通信制御方法。
【請求項２０】
前記情報処理装置は、原稿の画像をスキャンするスキャナをさらに備える、ことを特徴とする請求項１２乃至１９の何れか１項に記載の通信制御方法。
【請求項２１】
前記情報処理装置は、記録媒体に画像をプリントするプリンタをさらに備える、ことを特徴とする請求項１２乃至２０の何れか１項に記載の通信制御方法。
【請求項２２】
前記情報処理装置は、
第３プロセッサと、
前記第２プロセッサからデータを受信し、前記メモリにデータを送信し、前記第３プロセッサにデータを送信する他のメモリコントローラと、をさらに備え、
前記制御手段が、前記第１リクエストを処理する第５プログラムを前記第３プロセッサのためにロードし、前記メモリコントローラを前記第２プロセッサから受信したデータを前記メモリに送信し前記メモリに記憶された前記データを前記第３プロセッサに送信するよう設定し、
前記制御手段が、前記第２リクエストを処理する第６プログラムを前記第３プロセッサのためにロードし、前記メモリコントローラを前記第２プロセッサから受信したデータを前記メモリに送信せずに前記第３プロセッサに送信するよう設定する、ことを特徴とする請求項１２乃至２１の何れか１項に記載の通信制御方法。
【手続補正２】
【補正対象書類名】明細書
【補正対象項目名】０００８
【補正方法】変更
【補正の内容】
【０００８】
本発明の情報処理装置は、第１プロセッサと、第２プロセッサと、メモリと、前記第１プロセッサからデータを受信し、前記メモリにデータを送信し、前記第２プロセッサにデータを送信するメモリコントローラと、第１リクエストを受信し、前記第１リクエストを処理する第１プログラムを前記第１プロセッサのためにロードし、前記第１リクエストを処理する第２プログラムを前記第２プロセッサのためにロードし、前記メモリコントローラを前記第１プロセッサから受信したデータを前記メモリに送信し前記メモリに記憶された前記データを前記第２プロセッサに送信するよう設定し、第２リクエストを受信し、前記第２リクエストを処理する第３プログラムを前記第１プロセッサのためにロードし、前記第２リクエストを処理する第４プログラムを前記第２プロセッサのためにロードし、前記メモリコントローラを前記第１プロセッサから受信したデータを前記メモリに送信せずに前記第２プロセッサに送信するよう設定する、制御手段と、を備える。